(57)【要約】【課題】  ラーメン等の、スープ内に沈んだ具材や、残った麺等を簡単にすくい取ることができる、かわいい形状のレンゲを提供する。【解決手段】  底部２は、ハート形、又は従来のレンゲのようにたまご形をしており、底部２から連続して起立した側面部３を備え、側面部３の根元部３ｂから連続して側方へ延出した棒状の保持部５が設けられている。側面部３の側面凹み部３ａ側にはハートの形をした、すくい部４が設けられている。スープごと具材をすくい、レンゲの先端部である、すくい部先端４ｂをどんぶり側面内側６ａに接触させて、保持部５を上方へ傾けることで、スープのみを先端凹み部４ａと、どんぶり側面内側６ａによってできた隙間７から逃がす。【選択図】図２
2015089505.tif 000002
【特許請求の範囲】
【請求項１】
底部から連続して起立した側面部を備え、上記側面部の根元部から連続して側方へ延出した棒状の保持部が設けられ、上記側面部には底部凹み部から起立した側面凹み部をもち、すくい部がハート形に形成されていることを特徴とするレンゲ。
【請求項２】
上記、側面凹み部は側面部に一つ以上設けられ、ハート形だけでなく、三つ葉形や星形といった形状にも形成されることを特徴とする請求項１記載のレンゲ。
【発明の詳細な説明】
【技術分野】
【０００１】  本発明は、中華料理や鍋料理等を食べるときに使用するレンゲに関する。
【背景技術】
【０００２】  スープの底に溜まった具材を食べる為に、スープを飲み干してしまうと、塩分過多となる。その為、スープの底に溜まった具材だけを食べ易くする為に、レンゲの底部に穴があいている、穴あきレンゲが知られている。【０００３】  この種のレンゲの使い方として、スープを飲む場合は、レンゲの底部にある穴が、スープをすくう部分より高い位置になるように、レンゲを傾けた状態でスープをすくう。又、スープの底に溜まった具材だけを食べる場合は、具材ごとスープをすくい、レンゲの底部にある穴を、低い位置になるように傾ける。すると、穴よりも大きい具材はレンゲの中に残り、スープのみがレンゲからこぼれるというものである。尚、レンゲは、樹脂製や陶器製等、色々な素材のものがある。（たとえば、特許文献１）。
【先行技術文献】
【特許文献】
【０００４】
【特許文献１】  特願平１０−９８０５８
【発明の概要】
【発明が解決しようとする課題】
【０００５】  しかしながら、例としてラーメンを食べる場合を挙げると、スープの底に溜まった具材を食べる時は、ラーメンをほとんど食べ終わった状態である。その為、従来の穴あきレンゲでは、スープを飲みたい時は毎回レンゲを傾けなければならず、穴がある為スープが少量しかすくえないという問題も有していた。【０００６】  本発明は上記問題点に鑑みてなされたもので、レンゲに穴をあけずにスープの底に溜まった具材を食べ易くし、見た目にもかわいいレンゲを提供することを目的とする。【０００７】  この発明は、底部から連続して起立した側面部を備え、上記側面部の根元部から連続して側方へ延出した棒状の保持部が設けられ、上記側面部には底部凹み部から起立した側面凹み部をもち、すくい部がハート形に形成されていることを特徴とするレンゲである。【０００８】  なお、側面凹み部は側面部に一つ以上設けられ、ハート形だけでなく、三つ葉形や星形といった形状に形成されても問題はない。【０００９】  この発明のレンゲは、すくい部がハート形といった、見た目にもかわいい形状であり、チャーハンやラーメン等を食べたり、スープを飲む場合は、従来のレンゲと同様の使い方ができる。また、スープの底に沈んだ具材を拾う時は、スープごと具材をすくい、レンゲのすくい部先端をスープ上面より上側の、どんぶり側面内側に当てた上体で保持部を上方向に傾ける。すると、レンゲの先端凹み部と、どんぶり側面内側との隙間からスープがこぼれ、具材だけがレンゲの中に残る為、具材だけを食べることができる。尚、レンゲの先端凹み部と、どんぶり側面内側との隙間からスープをこぼす際、レンゲの先端凹み部両側の、レンゲのすくい部先端２点で、どんぶり側面内側と接触する為、安定してスープをこぼすことができる。
【発明の効果】
【００１０】  本発明によれば、レンゲの底に穴をあけることなく、スープの底に溜まった具材のみを食べることが容易である。また、スープを飲む際にも、レンゲの底の穴からスープがこぼれないように気にかけることなく、スープを飲むことができる。
【図面の簡単な説明】
【００１１】
【図１】  本発明の一実施形態のレンゲを示す斜視図である。
【図２】  本実施形態のレンゲの使用状態を示す平面図である。
【図３】  図２のＡ−Ａ断面である。
【発明を実施するための形態】
【００１２】  本発明のハートのレンゲの実施形態について、図面を参照しながら説明する。ここで、図１は、本発明の一実施形態のレンゲを示す斜視図である。
【００１３】  図１に示すように、本発明の実施形態に係るハートのレンゲ１は、陶器で形成されている。ハートのレンゲ１は、ハート形の底部２と、底部２の周囲に形成され、底部２に対して所定角度に開いて立ち上がる側面部３からなる、ハート方のすくい部４が設けられている。同様に、底部凹み部２ａから側面凹み部３ａを通り、すくい部４のハートの凹み部分にある、先端凹み部４ａへ、所定角度に開いて立ち上がる。また、すくい部４には、先端凹み部４ａと、先端凹み部４ａ両側のふくらみの部分である、すくい部先端４ｂを有する。底部２はハート形としたが、従来のレンゲのようにたまご形などハート形でなくても問題なく、底部２は平面だけではなく、曲面としても問題はない。
【００１４】  又、側面部３には、底部２におけるハート形の尖端側から側面部３にある、根元部３ｂを通り所定角度に開いて立ち上がり、側方へ延出する棒状の保持部５が一体に形成されている。尚、ハートのレンゲ１は、陶器として製造したが、これに限らず、ＡＢＳやＰＥＴといった樹脂製や、木製など、他の材料を使って製造するものであってもよい。
【００１５】  次に、図２及び図３を用いて、本発明の実施形態に係る、ハートのレンゲ１の使用方法について説明を行う。ここで、図２は、本実施形態のレンゲの使用状態を示す斜視図であり、図３は、図２のＡ−Ａ断面である。
【００１６】  図２、図３に示すように、スープに沈んだ具材を食べる際は、スープごと具材をすくい、すくい部先端４ｂを、どんぶり６内のスープ上面より上側にある、どんぶり側面内側６ａに当てる。その後、すくい部先端４ｂを支点として、持ち手である保持部５を、図３の矢印Ｂ方向へ傾ける。すると、どんぶり側面内側６ａと、先端凹み部４ａとの間にできた、隙間７から、図３の矢印Ｃ方向へ、スープのみがこぼれ、ハートのレンゲ１内に、具材だけが残る。尚、スープをこぼす際、どんぶり側面内側６ａには、２箇所のすくい部先端４ｂを当てている為、ぐらつくことなく、安定してスープをこぼすことができる。
【００１７】  又、スープを飲む際には、従来の穴あきレンゲのように穴のあいた位置を確認したり、傾けたりすることを気にせずに飲むことができる。
【００１８】  今回開示された実施の形態は、全ての点で例示であって、制限的なものではないと考えられるべきである。本発明の範囲は、上記した説明ではなくて、特許請求の範囲によって示され、特許請求の範囲と均等の意味、及び範囲内での全ての変更が含まれることが意図される。
【符号の説明】
【００１９】１    ハートのレンゲ
２    底部
２ａ  底部凹み部
３    側面部
３ａ  側面凹み部
３ｂ  根元部
４    すくい部
４ａ  先端凹み部
４ｂ  すくい部先端
５    保持部
６    どんぶり
６ａ  どんぶり側面内側
７    隙間
【図１】
2015089505.tif 000003
【図２】
2015089505.tif 000004
【図３】
2015089505.tif 000005